(57)【要約】【課題】隣接するパネル同士の隙間を体裁よく簡単に調整することを目的とする。【解決手段】パネル１１０は、平面視矩形状のパネル本体１１１と、このパネル本体１１１の少なくとも一方向の両側端部１１４に設けられた隙間調整部１２０と、を備え、隙間調整部１２０は、パネル本体１１１の表裏両面１１２、１１３に固定される表裏固定片１２４、１２５と、両端１２７、１２８が表裏固定片１２４、１２５に連接され、中央部１１５がパネル本体１１１の側端部１１４との間に空間１２２を有して離れた隙間調整片１２３とを有する。【選択図】図２
2020180438.tif 000002
【特許請求の範囲】
【請求項１】
平面視矩形状のパネル本体と、このパネル本体の少なくとも一方向の両側端部に設けられた隙間調整部と、を備えたパネルにおいて、
前記隙間調整部は、前記パネル本体の表裏両面に固定される表裏固定片と、両端が前記表裏固定片に連接され、中央部が前記パネル本体の側端部との間に空間を有して離れた隙間調整片と、を有して構成されたことを特徴とするパネル。
【請求項２】
前記隙間調整片は、前記中央部が外方へ凸状に湾曲しており、
前記表裏固定片が前記パネル本体の側端部近傍から固定されていることを特徴とする請求項１記載のパネル。
【請求項３】
前記表裏固定片のうち裏固定片は、前記隙間調整片の中央部が前記パネルの側端部方向へ押圧されたときに、
前記隙間調整片の一部が前記パネル本体の裏面よりも裏方向へ突出する方向に移動し得るよう前記パネル本体の側端部から離れた位置で固定されることを特徴とする請求項１記載のパネル。
【請求項４】
前記隙間調整片は、前記表裏固定片のうちの裏固定片との連接部分が前記パネルの裏面よりも裏方向に突出し、前記表裏固定片のうち裏固定片との連接部分が前記パネルの表面よりも裏方向に延出していることを特徴とする請求項１記載のパネル。
【請求項５】
請求項１〜４記載のいずれかに記載のパネルを、別途の固定具で躯体下地に並べて取り付けるパネル設置構造であって、
一方の前記パネルの側端部に、他方の前記パネルの側端部を突き合せ、前記各隙間調整片が前記側端部側に潰されて設置されることを特徴とするパネル設置構造。
【発明の詳細な説明】
【技術分野】
【０００１】
本発明は、パネル及びパネル同士を並べて設置するパネル設置構造に関する。
【背景技術】
【０００２】
従来、隣り合って設置されるパネル側端部の突き合せ部分に、パネル表面側から、金属からなるカバー板を被せ、カバー板をパネル側端部間の隙間に挿通する複数のボルトと、パネル裏面側に係止される押え金具に支持させることでパネル間の隙間を埋めている。
【先行技術文献】
【特許文献】
【０００３】
【特許文献１】特開平５−２８０１３５号公報
【発明の概要】
【発明が解決しようとする課題】
【０００４】
しかしながら、特許文献１に記載の接続具を用いて隣接するパネル同士の隙間を埋める場合、パネル同士の隙間に、ボルトを差し入れて、カバー板を一旦パネルの表面に当接させ、さらに押え金具をパネルの裏面端部に当接させてから表方向からボルトを締める必要があり、パネルの隙間を埋めるのに手間がかかった。
【０００５】
本発明は、このような課題に鑑みてなされたものであり、隣接するパネル同士の隙間を体裁よく簡単に調整できるパネル及びこれを用いたパネル設置構造を提供することを目的とする。
【課題を解決するための手段】
【０００６】
本発明の一様態に係るパネルは、平面視矩形状のパネル本体と、このパネル本体の少なくとも一方向の両側端部に設けられた隙間調整部と、を備え、隙間調整部は、パネル本体の表裏両面に固定される表裏固定片と、両端が表裏固定片に連接され、中央部がパネル本体の側端部との間に空間を有して離れた隙間調整片とを有する。
【０００７】
また、本発明の一様態に係るパネル設置構造は、パネルを、別途の固定具で躯体下地に並べて取り付けて、一方のパネルの側端部に、他方のパネルの側端部を突き合せ、各隙間調整片が側端部側に潰されて設置される。
【発明の効果】
【０００８】
本発明のパネル及びこれを備えたパネル設置構造は、隣接するパネル同士の隙間を体裁よく簡単に調整できる。
【図面の簡単な説明】
【０００９】
【図１】実施の形態１に係るパネルが設置される吊り天井の斜視図である。
【図２】実施の形態１に係るパネルの側断面図である。
【図３】実施の形態１に係る隣り合うパネルが連接された状態を示す側断面図である。
【図４】実施の形態１に係るパネルを連接し、かつ、躯体下地に取り付けた状態を示す説明図である。
【図５】実施の形態２に係る隣り合うパネルが連接された状態を示す側断面図である。
【図６】実施の形態３に係る隣り合うパネルが連接された状態を示す側断面図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。
【００１２】
また、各図において、実質的に同一の構成に対しては同一の符号を付しており、重複する説明は省略または簡略化される場合がある。
【００１３】
（実施の形態１）
図１は、実施の形態１に係るパネル１１０が設置される吊り天井１００の斜視図である。
【００１４】
図１に示すように、吊り天井１００は、野縁１０１と、野縁受け１０２と、吊り部材１０３と、パネル１１０とを備えている。
【００１５】
野縁１０１は、例えば、断面Ｕ字状に形成された溝形鋼（チャンネル）であり、水平に延設され、且つ、幅方向に所定の間隔をあけ、平行に複数配設されている。
【００１６】
野縁受け１０２は、例えば、断面Ｕ字状に形成された溝形鋼（チャンネル）であり、野縁１０１と交差するように複数配設され、複数の野縁１０１を保持する。
【００１７】
吊り部材１０３は、円柱棒状に形成されてあり、一方の端部を上部構造（建物躯体）に固着して垂下され、他方の端部を野縁受け１０２に接続している。この吊り部材１０３は、各野縁受け１０２の延設方向に沿って複数本並設されている。
【００１８】
本明細書においては、野縁１０１と野縁受け１０２を合わせて躯体下地と定義する。なお、躯体下地には、これに限らず、パネル１１０が直接取着される部材を含む構成であればよく、前述の野縁１０１と野縁受け１０２とに吊り部材１０３を加えてもよいし、躯体に直接パネル１１０が取着されるなら躯体自体が躯体下地であってもよい。
【００１９】
パネル１１０は、別途の固定具（不図示）で躯体下地に並べて取り付けられている。
【００２０】
図２は、実施の形態１に係るパネル１１０の側断面図である。図２に示すように、パネル１１０は、平面視矩形状のパネル本体１１１と、このパネル本体１１１の少なくとも一方向の両側端部１１４に設けられた隙間調整部１２０とを備える。
【００２１】
なお、パネル１１０は、必ずしも矩形とは限らず、正方形であってもよい。
【００２２】
パネル本体１１１は、例えば、木材、合成樹脂発泡材や無機質材や金属などで構成されている。
【００２３】
ここで、本実施の形態では、特に断りのない限り、パネル１１０を吊り天井（図１に示す１００）に取り付けた状態で、パネル本体１１１の裏面１１３方向（躯体下地方向）を裏方向、パネル本体１１１の表面１１２方向（室内方向）を表方向とする。
【００２４】
隙間調整部１２０は、パネル本体１１１の表面１１２から裏面１１３まで被覆した不燃
性の化粧紙の一部分である。具体的には、パネル本体１１１の側端部１１４近傍に位置する化粧紙であり、表裏両面１１２、１１３に固定される表裏固定片１２４、１２５と、両端が表裏固定片１２４、１２５に連接され、中央部１２６がパネル本体１１１の側端部１１４との間に空間１２２を有して離れた隙間調整片１２３と、を有して構成されている。
【００２５】
なお、化粧紙は、強化ファイバーシートで構成されてあってもよく、特に限定されることはない。
【００２６】
また、化粧紙は、パネル本体１１１の裏面１１３の中央部１１５が開口するように、パネル本体１１１裏面１１３では一部のみ被覆している。
【００２７】
なお、化粧紙の表面に、アルミ合金板などで構成されたデザイン模様を有する内装材が接着剤などで固着されてあってもよい。こうした構造をとることによって、天井面の外観を向上させることができる。
【００２８】
化粧紙は、パネル本体１１１の裏面１１３全体を被覆してあってもよいが、パネル本体１１１の裏面１１３の中央部１１５が開口するように形成されていれば、外観を損なわずに、製造コストを削減することができる。
【００２９】
表裏固定片１２４、１２５は、表固定片端部１２７及び裏固定片端部１２８近傍から接着剤などでパネル本体１１１の裏面に固着されている。詳しくは、パネル本体１１１の表面１１２側全面には化粧紙が接着剤で固着されており、表固定片１２４はこの化粧紙の一部である。
【００３０】
隙間調整片１２３は、パネル本体１１１の側端部１１４側である表固定片端部１２７と裏固定片端部１２８とを連接して、中央部１２６を形成している。中央部１２６は、表固定片端部１２７から裏固定片端部１２８までの距離の中央に形成されてあって、パネル本体１１１の側端部１１４との間に空間１２２を形成している。
【００３１】
隙間調整片１２３は、中央部１２６が外方へ凸状に湾曲してある。
【００３２】
図３は、実施の形態１に係る隣り合うパネルが連接された状態を示す側断面図である。図３に示すように、躯体下地に取り付けられたパネル１１０（以降、一方のパネル１１７と称する。）に対して、図３（ａ）の矢印の方向から一方のパネル１１７に連接させる他方のパネル１１８を押圧した際に、図３（ｂ）に示すように、隙間調整片１２３の凸状部分が凹んで、空間１２２の面積が減少する。つまり、凸状部分の最もパネル本体１１１の側端部１１４から離間している凸部１３０が、パネル本体１１１の側端部１１４側に移動している。その際、他方のパネル１１８の位置は、一方のパネル１１７に近づいた位置に移動している。
【００３３】
更に、他方のパネル１１８を図３（ｂ）に示す矢印の方向へ押圧して、図３（ｃ）に示すように、隙間調整片１２３の凸部１３０がパネル本体１１１の側端部１１４に当接するまで、他方のパネル１１８を一方のパネル１１７に近づけることができるが、更に、他方のパネル１１８を押圧してもよい。
【００３４】
こうした構造をとることによって、隣り合うパネル１１０を接近させるだけで、隣り合うパネル１１０間の隙間を目立たなくすることができるので、隣り合うパネル１１０同士の隙間を体裁よく簡単に調整することができる。
【００３５】
なお、他方のパネル１１８は、躯体下地に沿って、横からスライドさせて一方のパネル
１１７と他方のパネル１１８を連接させることが好ましい。
【００３６】
図４は、実施の形態１に係るパネル１１０を連接し、かつ、躯体下地に取り付けた状態を示す説明図である。図４は、パネル１１０の一方の対向する２つの側端部のうち、紙面手前側の野縁１０１を省略している。図４に示すように、一方のパネル１１７の側端部１１４に、他方のパネル１１８の側端部１１４を突き合せ、各隙間調整片１２３が側端部１１４側に潰されて設置されている。
【００３７】
パネル本体１１１の裏面１１３において、パネル本体１１１の一方の対向する２つの側端部は、野縁１０１にビス留めすることで躯体下地に取り付けられ、パネル１１０の他方の対向する２つの側端部１１４は、隙間調整部１２０を介して、隣接するパネル１１０と連接されている。そして、これらのパネル１１０によって、天井面が形成されている。
【００３８】
こうした構造をとることによって、隣り合うパネル１１０間の隙間を目立たないように、パネル１１０を躯体下地に設置することができる。
（実施の形態２）
実施の形態２の基本的な構成は、実施の形態１と略同じである。よって、同一箇所には同一符号を付して説明を省略し、異なる箇所のみの説明を行う。これ以降の実施の形態も同様とする。
【００３９】
図５は、実施の形態２に係る隣り合うパネルが連接された状態を示す側断面図である。図５に示すように、裏固定片１２５は、裏固定片端部１２８から所定の距離を離した位置で固着されているので、裏固定片端部１２８から固着されている部分まで間に隙間１２９を形成している。
【００４０】
隙間１２９が形成されていることによって、一方のパネル１１７を躯体下地に取り付けて、図５（ａ）に示す矢印の方向から一方のパネル１１７に他方のパネル１１８を押圧した際に、図５（ｂ）に示すように、隙間調整片１２３の一部がパネル本体１１１の裏面１１３よりも裏方向に突出する。
【００４１】
つまり、隙間調整片１２３と側端部１１４との間に形成されていた空間１２２が狭くなり、パネル本体１１１の裏面１１３と裏固定片端部１２８との間の隙間１２９が広くなる。
【００４２】
こうした構造をとることによって、一方のパネル１１７に他方のパネル１１８を連接させるだけで、隣り合うパネル１１０間の隙間を目立たなくすることができるので、隣り合うパネル１１０間の隙間を体裁よく簡単に調整することができる。
【００４３】
特に、このような構造としたことで、実施の形態１と比べてパネル本体１１１に固着されない部分を長くとることができ、隙間調整片１２３同士が接触した際に、隙間調整片１２３が撓み易くなり、隣り合うパネル１１０間の隙間を簡単に調整できる。
（実施の形態３）
図６は、実施の形態３に係る隣り合うパネルが連接された状態を示す設置構造の側断面図である。図６に示すように、隙間調整片１２３は、表裏固定片１２４、１２５のうちの裏固定片１２５との連接部分１３１（以降、第１連接部分と称する。）がパネル１１０の裏面１１３よりも裏方向に突出し、表裏固定片１２４、１２５のうち表固定片１２４との連接部分１３２（以降、第２連接部分と称する。）がパネル１１０の表面１１２よりも裏方向に延出している。
【００４４】
第１連接部分１３１は、側面視鋭角に形成されてあって、第２連接部分１３２は、側面
視鈍角に形成されている。これにより、隙間調整片１２３とパネル本体１１１の側端部１１４との間の空間１２２の側面視形状が略平行四辺形になるように形成されている。
【００４５】
なお、第１連接部分１３１は、側面視逆Ｕ字状であってもよく、特に限定されることはない。
【００４６】
一方のパネル１１７を躯体下地に取り付けて、図６（ａ）に示す矢印の方向から一方のパネル１１７に他方のパネル１１８を押圧した際に、図６（ｂ）に示すように、空間１２２の面積が減少して、一方のパネル１１７と他方のパネル１１８との距離が近づくように移動する。
【００４７】
また、第１連接部分１３１は、押圧されればされるほど、裏方向へ移動する。そのため、第１連接部分１３１は、押圧されても表方向へ移動せず、裏方向へ移動するように構成されているので、隙間調整片１２３が潰されても表方向からパネル本体１１１の表面１１２を見た際の外観を損なわずに、隙間を調整することができる。
【００４８】
また、こうした構造をとることによって、一方のパネル１１７に他方のパネル１１８を連接させるだけで、隣り合うパネル１１０間の隙間を目立たなくすることができるので、隣り合うパネル１１０間の隙間を体裁よく簡単に調整することができる。
【００４９】
特に、このような構造としたことで、実施の形態２と比べて、更に、隙間調整片１２３同士が接触した際に、隙間調整片１２３が裏方向に移動し易くなり、隣り合うパネル１１０間の隙間を簡単に調整できる。
【符号の説明】
【００５０】
１１０    パネル
１１１    パネル本体
１１２    表面
１１３    裏面
１１４    側端部
１１５    中央部
１２０    隙間調整部
１２２    空間
１２３    隙間調整片
１２６    中央部
１２７    表固定片端部
１２８    裏固定片端部
１２９    隙間
１３０    凸部
【図１】
2020180438.tif 000003
【図２】
2020180438.tif 000004
【図３】
2020180438.tif 000005
【図４】
2020180438.tif 000006
【図５】
2020180438.tif 000007
【図６】
2020180438.tif 000008